(57)【要約】      （修正有）【課題】安全、かつ、最適な使用ができる災害時応急受水用袋を提供する。【解決手段】低部を構成するシート部と表裏２枚のシート３をヒートシールして受水袋１を構成し、該受水袋の上端近傍内面には互いに係合する開閉自在な凹状部と凸状部とからなるファスナー５ａ、５ｂを取付けると共に前記ファスナーによる開閉位置よりも上側における前記２枚のシート部に横向きの切り込み８ａが形成された取っ手部８を形成し、また、開閉位置より下側位置に本体胴部の肩部に水の取り出し口６を設ける。表裏シートの表面側に氏名や受水日や受水場所の記載欄３ａ，３ｂを印刷し、また、他の面に使用上の注意と使用方法を印刷する。【選択図】図１
0003179010.tif 000002
【実用新案登録請求の範囲】
【請求項１】
低部を構成するシートと表裏２枚のシートをヒートシールして受水袋を構成し、該受水袋の上端近傍内面には互いに係合する開閉自在な凹状部と凸状部とからなるファスナーを取付けると共に前記ファスナーによる開閉位置よりも上側における前記２枚のシートに切り込みが形成された取っ手部を形成し、また、前記開閉位置より下側位置に本体胴体部の肩部に水の取り出し口を設けた災害時応急受水用袋であって、前記表裏シートの表面側に印刷や油性ペンで文字の記載が可能に形成し、前記表裏シートの表面側における１面に氏名や受水日や受水場所の記載欄を印刷し、また、他の面に使用上の注意と使用方法を印刷したことを特徴とする災害時応急受水用袋。
【請求項２】
予め設定されている受水袋に入水する最大入水量が多くなるに従って前記表裏２枚のシート部の厚みを厚くしたことを特徴とする請求項１記載の災害時応急受水用袋。
【請求項３】
形前記取っ手部の切り込みを前記ファスナーの上方に上向きのＣ型に形成すると共に該切り込みの水平線部を前記ファスナーに近接した側に形成し、かつ、前記切り込みの両端に内側に向かって円弧状切り込みを形成したことを特徴とする請求項１記載の災害時応急受水用袋。
【請求項４】
前記ファスナーを上下に２列形成すると共に、下側に位置するファスナーを飲料水が収納されている内部からの圧力に対して分離しにくい構造としたことを特徴とする請求項１記載の災害時応急受水用袋。
【考案の詳細な説明】
【技術分野】
【０００１】
本考案は、震災時等において水道水の供給が遮断された場合等に使用する災害時応急受水用袋であって、災害時に給水車等の水道以外から飲料水を前記袋内に注入した日付や使用者の氏名を確認することで、安心して飲料することができる災害時応急受水用袋に関する。
【背景技術】
【０００２】
従来における災害時応急受水用袋としては、例えば、特開２００６−１１７２８１号公報に記載されている発明がある。以下、この発明の構造について説明する。受水袋１は、底部を構成するシート部２と、本体の胴体部を構成する表裏２枚のシート部３，４をヒートシールによって接合さている。また、前記表裏のシート部３，４の上端近傍内面には互いに係合する開閉自在な凹状部と凸状部とからなるファスナー５備えている。
【０００３】
また、前記ファスナー５による開閉位置より下側位置に本体胴部の肩部に水の取り出し口６をヒートシールによって接合し、該取り出し口６には開閉自在なキャップ７を螺合している。さらに、前記ファスナー５による開閉位置よりも上側における前記２枚のシート部３，４に上向きＣ型の切り込み８ａが形成された取っ手部８が形成されている（図３参照）。
【０００４】
このような構造の災害時応急受水用袋にあっては、前記ファスナー５を外すことで給水車等に装備されている大きな水道栓でも注水が可能であり、また、表裏シート３，４に底部を構成するシート２によって飲料水が袋内に貯留されると袋の下方面積が大きくなるので、卓上等の水平面に安定した状態で載置することが可能となり、さらに、キャップ７を螺合した液取り出し口６は斜め上方に向かって固定されているので、液取り出し口６からコップ等の容器に飲料水を注ぐ場合に簡単であるといった効果を有するものである。
【先行技術文献】
【特許文献】
【０００５】
【特許文献１】特開２００６−１１７２８１号公報
【考案の概要】
【考案が解決しようとする課題】
【０００６】
ところで、先行技術文献における災害時応急受水用袋にあっては、受水袋の所有者が誰であるのか、また、注水を何時行ったかを知ることができないため、非常時において飲料水を飲もうとする人が自分の袋か否かの判別ができないと共に飲もうとする飲料水が注入してからの日にちが不明であるため腐敗してしまっているか、注水時において何らかの原因で受水元において細菌が混入していたような場合に受水日が不明であると受水元から何時細菌が混入されたかの通知を受けても受水日が分からず細菌入りの飲料水を飲んでしまうといった問題が発生した。
【０００７】
また、袋を購入したり、震災時に市町村から提供されて使用する場合に、使用方法の記載がないため、安全、かつ、最適な使用ができずに袋の長時間の使用が不可能になったり、短時間で損傷して使用不能になるといった問題が発生した。
【０００８】
本考案は前記した問題点を解決せんとするもので、その目的とするところは、袋に印刷された注意事項や使用方法を読むことで安全で、かつ、長期間の使用が可能であると共に、使用者の氏名や飲料水の注入日を記載することで、腐敗した飲料水や細菌入りの飲料水を飲むことがなく安全な飲料を行うことができる災害時応急受水用袋を提供せんとするにある。
【課題を解決するための手段】
【０００９】
本考案の非常用飲料水袋は前記した目的を達成せんとするもので、請求項１の手段は、低部を構成するシートと表裏２枚のシートをヒートシールして受水袋を構成し、該受水袋の上端近傍内面には互いに係合する開閉自在な凹状部と凸状部とからなるファスナーを取付けると共に前記ファスナーによる開閉位置よりも上側における前記２枚のシートに切り込みが形成された取っ手部を形成し、また、前記開閉位置より下側位置に本体胴体部の肩部に水の取り出し口を設けた災害時応急受水用袋であって、前記表裏シートの表面側に印刷や油性ペンで文字の記載が可能に形成し、前記表裏シートの表面側における１面に氏名や受水日や受水場所の記載欄を印刷し、また、他の面に使用上の注意と使用方法を印刷したことを特徴とする。
【００１０】
請求項２の手段は、前記した請求項１において、予め設定されている受水袋に入水する最大入水量が多くなるに従って前記表裏２枚のシート部の厚みを厚くしたことを特徴とする。
【００１１】
請求項３の手段は、前記した請求項１において、前記取っ手部の切り込みを前記ファスナーの上方に上向きのＣ型に形成すると共に該切り込みの水平線部を前記ファスナーに近接した側に形成し、かつ、前記切り込みの両端に内側に向かって円弧状切り込みを形成したことを特徴とする。
【００１２】
請求項４の手段は、前記した請求項１において、前記ファスナーを上下に２列形成すると共に、下側に位置するファスナーを飲料水が収納されている内部からの圧力に対して分離しにくい構造としたことを特徴とする。
【考案の効果】
【００１３】
本考案は前記したように、災害時応急受水用袋の表裏シートの表面側に印刷や油性ペンで文字の記載が可能に形成し、前記表裏シートの表面側における１面に氏名や受水日や受水場所の記載欄を印刷したので、氏名を記載しておくことで使用者が本人の物であることの確認が行え、かつ、受水日や受水場所の記載欄を印刷し、また、受水日や受水場所を記載することで、受水してからの日にちを知ることにより腐敗したか否かの判断が行えると、また、受水場所を記入することで何らかの原因で受水元の原因により問題（例えば、細菌が混入しまったような場合）が発生した時に水供給者側が細菌が混入した日付や受水場所を知らせることで、受水者は受水日と受水場所とから細菌が混入しているか否かの判断することができ、さらに、他の表面に使用上の注意と使用方法を印刷したことにより、これらの文章を読み使用することで簡単、かつ、安全に使用することができると共に、取扱説明書や注意事項を記載した書面を添付する必要がなくなるものである。
【００１４】
また、前記受水袋に入水する最大入水量が多くなるに従って前記表裏２枚のシート部の厚みを厚くした構成したことにより、受水袋内の飲料水が所定量であれば、卓上等に置いた場合に正常な自立性を維持し、また、保管性や耐久性が劣化するととがなく、また、取っ手部の切り込みから指を差し込んで持ち歩いても本体胴体部に入水する入水量に応じて厚くしたので、取っ手部の部分が切り裂かれるのを防止することができ、また、受水袋内の飲料水が所定量であれば、卓上等に置いた場合に正常な自立性を維持し、かつ、保管性や耐久性が劣化することがない。
【００１５】
さらに、前記取っ手部の切り込みを上向きのＣ型に形成すると共に該切り込みの水平線部を前記ファスナーに近接した側に形成し、かつ、前記切り込みの両端に内側に向かって円弧状切り込みを形状としたことにより、予め設定されている入水量より多くの入水を行った状態で取っ手部を折り返して指を差し込み持ち歩いても、飲料水の重量は前記湾曲部の湾曲部分に加わるため切り裂かれることがないと共に万一、切り裂きが行われても前記湾曲部は開口部の上端より離れているので、完全に切り裂かれるまでの時間が掛り長期間の持ち歩きに適したものである。
【００１６】
また、前記ファスナーを上下２列にすると共に、下側に位置するファスナーを飲料水が収納されている内部からの圧力に対して分離し難くい構造とし、かつ、上側に位置するファスナー５は開口部側からの力に対して容易に分離できる構造としてので、内部の飲料水が漏れ出ることがなく持ち運び時において飲料水が漏れ出ることがなく、かつ、飲料水を受水袋内に注入する場合には、容易に開口部を開口できて注水を簡単に行うことができる。
【図面の簡単な説明】
【００１７】
【図１】本考案に係る災害時応急受水用袋の正面図である。
【図２】図１の背面図である。
【図３】従来の受水用袋の正面図である。
【図４】図３のＡ−Ａ線断面図である。
【図５】受水用袋に飲料水を注入した状態の断面図である。
【考案を実施するための形態】
【００１８】
以下、本考案の災害時応急受水用袋の一実施例を図４、図５と共に説明する。なお、先行技術と同一符号は同一部分を示している。
ナイロンやポリエチレンである表面２枚のシート３，４の外周部と底部を構成するシート２をヒートシール（ハッチング部分）によって接合して受水袋１を構成する。また、前記表裏のシート３，４の上端近傍内面には上下２つのファスナー５ａ，５ｂを備えている。そして、下側に位置するファスナー５aは飲料水が収納される内部からの力に対して分離し難く、また、開口部の開け方向からの力に対して容易に分離する構造となっている。なお、ファスナーとしては、必ずしも２つのファスナー５ａ，５ｂに限定されるものではない。
【００１９】
従って、飲料水を受水袋１内に注入するために開口部を開ける時には容易に開口することができ、飲料水を注入してファスナー５ａ，５ｂを閉じた時には飲料水を外部から圧迫しても開封が行われないことから受水袋１を持ち歩くような場合にも水漏れを起こすことがない。
【００２０】
また、前記ファスナー５ａ，５ｂによる開閉位置より上側に形成する取っ手部８を構成する切り込み８ａの形状を上向きのＣ型に形成すると共に前記切り込みの両端に内側に向かって円弧状切り込み８ｂを形成とした。このような形状であることから、円弧状切り込み８ｂは開口部上端までの長さが長い位置となる。
【００２１】
このように、前記取っ手部８の切り込み８ａを上向きのＣ型に形成すると共に該切り込み８ａの水平線部を前記ファスナー５ａ，５ｂに近接した側に形成し、かつ、前記切り込み８ａの両端に内側に向かって円弧状切り込み８ｂを形状としたことにより、予め設定されている入水量より多くの入水を行った状態で取っ手部８を折り返して指を差し込み持ち歩いても、飲料水の重量は前記円弧状切り込み８ｂの湾曲部分に加わるため切り裂かれることがないと共に万一、切り裂きが行われても前記円弧状切り込み８ｂは開口部の上端より離れているので、完全に切り裂かれるまでの時間が掛り長期間の持ち歩きに適したものである。
【００２２】
なお、受水袋１は受水量に応じた厚みとしないと、卓上等に置いた場合に正常な自立性を維持できなかったり、保管性や耐久性が劣化するという問題が生じる可能性がある。例えば、前記した３リットルの受水袋１の場合には、総厚が２３７ミクロンとすることが望ましい。
【００２３】
前記したように、前記受水袋１に入水する最大入水量が多くなるに従って前記表裏２枚のシート部の厚みを厚くした構成したことにより、受水袋１内の飲料水が所定量であれば、卓上等に置いた場合に正常な自立性を維持し、また、保管性や耐久性が劣化することがなく、また、取っ手部８の切り込みから指を差し込んで持ち歩いても受水袋１に入水する入水量に応じて厚くしたので、取っ手部８の湾曲切り込み８ｂが切り裂かれるのを防止することができる。
【００２４】
また、受水袋１は大きさに応じて受水量が予め設定されており、受水してもよい位置に受水量を示す横線が表示されている。すなわち、例えば、一般的に大人が１日に飲む水量である３リットルを必要としていることから、受水される水量が３リットルとなる位置に３リットルの飲料水が注入されたことを示す横線が印刷されているので、この横線に達した時点で飲料水の受水を停止することで、受水袋１の大きさに応じた最適な量の飲料水を注入ことができる。
【００２５】
さらに、本考案にあっては、受水袋１を構成する表裏２枚のシート３，４の表面側が印刷や油性ペンで文字が記載できるように構成されており、前面には使用者の氏名記入欄３ａおよび受水日や受水場所を書く受水記入欄３ｂが印刷されている。受水日を記入するのは受水してからの日にちを知ることにより腐敗したか否かの判断が行えると、また、受水場所を記入することで何らかの原因で受水元の原因により問題（例えば、細菌が混入しまったような場合）が発生した時に水供給者側が細菌が混入した日付や受水場所を知らせることで、受水者は受水日と受水場所とから細菌が混入しているか否かの判断することが可能となる。
【００２６】
また、受水袋１の裏面には、使用上の注意事項４ａが記載されている。例えば、「飲料水以外使用しないで下さい。」「熱湯は入れないで下さい。ぬるま湯であれば使用できます。」「この受水袋は飲料水の長期保存はできません。」「規定量以上は入れないで下さい。」「火のそばや、熱いところに置かないで下さい。」「容器が変形したり、融けたりすることがあります。」等が記載されている。
【００２７】
さらに、使用方法４ｂが説明図と共に記載されている。例えば、「災害時に使用の際油性ペンを用いて、名前、受水場所、受水日を記入の上、使用して下さい。」」受水の際は、袋上部のチャックを開き、手を袋の中に入れ立体的にし、受水の準備をします。」「準備が出来てから給水口から受水して下さい。」「受水後は余分な空気を抜くように袋を押え、チャック部を閉じて密封して下さい。」「飲用する際はキャップを開け，コップ等に移してお飲み下さい。」「使用後は水を切り、乾燥させてからゴミが入らない様にチャックとキャップを締めて保管する事で、繰り返し使用できます。」等が記載されている。
【００２８】
以上のような注意事項や使用方法が受水袋１の表裏に記載されていることから、これらの文章を読み使用することで簡単、かつ、安全に使用することができると共に、取扱説明書や注意事項を記載した書面を添付する必要がなくなる。
【符号の説明】
【００２９】
１          受水袋
２          底面シート
３，４      表裏シート
３ａ        氏名記入欄
３ｂ        受水日、受水場所
４ａ        使用上の注意事項
４ｂ        使用方法
５ａ，５ｂ  ファスナー
６          取り出し口
７          キャップ
８          取っ手部
８ａ        切り込み
８ｂ        円弧状切り込み
【図１】
0003179010.tif 000003
【図２】
0003179010.tif 000004
【図３】
0003179010.tif 000005
【図４】
0003179010.tif 000006
【図５】
0003179010.tif 000007